(57)【要約】【課題】  本発明は、待ち受け画像や音声情報を、プリント自動販売機の印刷出力の２次元バーコードをカメラ付き携帯電話で撮影して得た情報からサーバにアクセスし受け取るシステムを提供する。【解決手段】  本発明によれば、プリント自動販売機１０で写真７０を印刷するときに、もしくは利用者がその設置場所に関連する携帯電話用待ち受け画像や音声情報を要求するとプリント自動販売機１０からサーバ２０に２次元バーコードの送信要求を送る。サーバ２０で識別データとネットワークアドレスから２次元バーコードが生成され、返送される。プリント自動販売機１０は、２次元バーコードをディジタル画像の写真７０と一緒に印刷する。利用者は、この２次元バーコードをカメラ付き携帯電話３０で撮影して、画像処理及び解析し、識別データとネットワークアドレスを得る。このネットワークアドレスのサーバ２０にアクセスし、識別データを送信することにより、プリント自動販売機１０の設置場所に関連した携帯電話用待ち受け画像データや音声情報を得る。【選択図】      図１
2005190224.tif 000002
【特許請求の範囲】
【請求項１】
プリント自動販売機とサーバとカメラ付き携帯端末によるネットワークを用いた印刷システムにおいて、
ディジタル画像の写真を印刷する際、前記サーバに識別コード要求を送信し、前記識別コードを受信する通信手段と、前記ディジタル画像と前記識別コードを印刷する印刷手段と、前記通信手段と前記印刷手段を制御する制御手段とを備えたプリント自動販売機と、
ネットワークアドレス及び唯一の識別データから唯一の識別コードを生成する識別コード生成手段と、前記識別コード要求を受信し、生成された前記識別コードを前記プリント自動販売機に送信し、選択されたデータ情報を前記カメラ付き携帯端末に返送する送受信手段と、前記カメラ付き携帯端末の制御部からのアクセスを受け、前記唯一の識別データを取得及び有効か判定し、有効のときに前記唯一の識別データに対応する前記データ情報を選択する選択手段とを備えたサーバと、
前記識別コードを撮影し、前記識別コードを解析し、前記ネットワークアドレスと前記唯一の識別データを取得するデータ取得手段と、前記ネットワークアドレスのサーバにアクセスして前記唯一の識別データを送信することにより、前記データ情報を取得し、前記データ情報の再生を行う制御手段とを備えたカメラ付き携帯端末装置と、
を有することを特徴とする印刷システム。
【請求項２】
前記識別コードは、2次元バーコードであることを特徴とする請求項１記載の印刷システム。
【請求項３】
前記データ情報は、前記プリント自動販売機と関連する待ち受け画像データを含むものであり、前記データ情報の再生は待ち受け画面の設定であることを特徴とする請求項１、又は２記載の印刷システム。
【請求項４】
前記データ情報は、前記プリント自動販売機と関連する音声情報を含むものであり、前記データ情報の再生は前記音声情報の再生であることを特徴とする請求項１、又は２記載の印刷システム。
【請求項５】
前記識別データは、シリアル番号又は乱数を発生させたもので前記サーバで管理されているものであることを特徴とする請求項１、２、３、又は４記載の印刷システム。
【請求項６】
前記データ情報は、時間又は日により異なる前記音声情報であることを特徴とする請求項１、又は４の印刷システム。
【請求項７】
前記データ情報は、前記サーバで前記識別データに対応する複数の前記音声情報の中から選択されるものであることを特徴とする請求項１、又は４記載の印刷システム。
【請求項８】
前記データ情報は、フレーム画像との合成に使用されることを特徴とする請求項１、２、３、又は４記載の印刷システム。
【発明の詳細な説明】
【技術分野】
【０００１】
本発明は印刷装置とカメラ付き携帯電話機、及びサーバによるネットワークと２次元バーコードを用いた印刷システムに関するものである。
【背景技術】
【０００２】
近年、ディジタルカメラ及びディジタルカメラ付き携帯電話が急速に普及してきており、これに伴い、ディジタルカメラで撮影した画像を印刷するための画像印刷装置やプリンタ装置も様々なものが開発され普及している。上記プリンタ装置には、家庭用のプリンタ装置も含まれるが、自動販売機型のプリンタ（以下、プリント自動販売機で示す）も利用されている。店頭等に設置されるプリント自動販売機は、パーソナルコンピュータやプリンタ装置を所有しないユーザにとって有用である。
【０００３】
例えば、ディジタルカメラで撮影した画像を記憶したＰＣカード、コンパクトフラッシュ（登録商標）等のメディアをプリント自動販売機に直接挿入し、その記憶メディアの内容を印刷することにより、所定の印刷料金を徴収するものである。このプリント自動販売機には、画像のフレームを付加して印刷する機能もある。
【０００４】
そこで、観光地やアミューズメントパークなどのプリント自動販売機では、ロケーション毎に特色を持たせる為、フレームをその場所専用のものを用意して独自のフレーム合成印刷を提供する装置もある。例えば、アミューズメントパークのキャラクタや観光地の写真のフレームである。
【０００５】
上記技術に関連する先行技術として以下の文献がある。
特許文献１では、ダウンロード等により携帯電話機で各種設定が記録されたバーコードを記録しておき、携帯電話機のカメラで撮影したバーコードと比較し、一致した場合にその設定を携帯電話機に行う。
【０００６】
特許文献２では、携帯情報端末のデジタルカメラを用いてバーコード又は紙面の文字情報等を撮影し、付加情報を入力して、それらをネットワークを通じて運営のサーバに送信する。サーバは、画像を処理して商品コード又は文字情報及び付加情報を出力する。場合によって、文字情報を付加情報に基づく加工を施した上で携帯情報端末に返信する。
【０００７】
特許文献３では、自動販売機利用の入金で、入金操作による入金データと投入された紙幣や硬貨の処理を行い、取引データの通知をサーバにする。サーバは、取引データを記憶登録する。
特許文献４では、音楽情報販売処理装置であり、入力操作又は音声入力の音声認識を行い、指定の音楽データをメディアに書き込み販売する。
【特許文献１】特開２００３−２８９３５０号公報
【特許文献２】特開２００２−１３５４５１号公報
【特許文献３】特開２００１−３３８３２８号公報
【特許文献４】特開２０００−７６５４２号公報
【発明の開示】
【発明が解決しようとする課題】
【０００８】
しかしながら、プリント自動販売機の設置場所による専用フレームによる印刷サービスは、フレーム合成を行わないユーザやその場で同行者に写真を渡す必要がないユーザ、印刷した写真により荷物が増えると思うユーザに対しては、外出先で印刷することへの動機付けを与えることができない。
【０００９】
また、先行技術文献であるが、特許文献２の一部では、紙面の文字情報を撮影してサーバに送り、情報を返送する技術が開示されているが、撮影した紙面の文字情報を送る場合に画像を処理しないでサーバに送信するので情報量が多くなり、通信量も多くなるので利用者は通信料金もかかる。サーバのトラヒックも多くなり、画像処理も集中し、処理量が多くなる。
【００１０】
また、特許文献１では、撮影したバーコードを携帯電話内に記録しているバーコードと比較しているが、バーコードの保存分のメモリ容量が常に必要になる。
そこで、本発明は、ロケーションごとの特徴を持たすことができる携帯電話用待ち受け画像や音声を、プリント自動販売機の印刷出力に印刷されてくる２次元バーコードをディジタルカメラ付き携帯電話で撮影して処理することにより得るネットワークアドレスと識別コード等の情報からネットワーク上のサーバにアクセスし受け取るシステムを提供する。
【課題を解決するための手段】
【００１１】
上記課題は本発明によれば、プリント自動販売機とサーバとカメラ付き携帯端末によるネットワークを用いた印刷システムにおいて、ディジタル画像の写真を印刷する際、前記サーバに識別コード要求を送信し、前記識別コードを受信する通信手段と、前記ディジタル画像と前記識別コードを印刷する印刷手段と、前記通信手段と前記印刷手段を制御する制御手段とを備えたプリント自動販売機と、ネットワークアドレス及び唯一の識別データから唯一の識別コードを生成する識別コード生成手段と、前記識別コード要求を受信し、生成された前記識別コードを前記プリント自動販売機に送信し、選択されたデータ情報を前記カメラ付き携帯端末に返送する送受信手段と、前記カメラ付き携帯端末の制御部からのアクセスを受け、前記唯一の識別データを取得及び有効か判定し、有効のときに前記唯一の識別データに対応する前記データ情報を選択する選択手段とを備えたサーバと、前記識別コードを撮影し、前記識別コードを解析し、前記ネットワークアドレスと前記唯一の識別データを取得するデータ取得手段と、前記ネットワークアドレスのサーバにアクセスして前記唯一の識別データを送信することにより、前記データ情報を取得し、前記データ情報の再生を行う制御手段とを備えたカメラ付き携帯端末装置とを有する印刷システムを提供することにより達成できる。
【００１２】
また、上記構成の中で、識別コードは例えば2次元バーコードである。そして、データ情報は、例えばプリント自動販売機と関連する待ち受け画像データを含むものであり、データ情報の再生は待ち受け画面の設定である。もしくは、データ情報はプリント自動販売機と関連する音声情報を含むものであり、データ情報の再生は音声情報の再生である。
また、識別データは、シリアル番号又は乱数を発生させたものでサーバで管理されているものである。
【００１３】
さらに、データ情報は、時間又は日により異なる音声情報であってもよいし、データ情報は、サーバで識別データに対応する複数の音声情報の中から選択されるものであってもよい。
また、上記のシステムでプリント自動販売機でディジタル画像とフレームを合成して印刷するときにフレーム情報を選択して合成することができる。
【発明の効果】
【００１４】
本発明によれば、プリント自動販売機で携帯電話用待ち受け画像データや音声情報を利用者が要求し、もしくは要求しなくても自動的に、プリント自動販売機からサーバに識別コードである２次元バーコードの送信要求が送られ、サーバは識別データとネットワークアドレスから２次元バーコードを生成し、返送する。プリント自動販売機で２次元バーコードをディジタル画像の写真と一緒に印刷する。利用者は、この２次元バーコードをカメラ付き携帯電話で撮影して、画像処理及び解析し、識別データとネットワークアドレスを得て、サーバにアクセスし識別データを送信することにより、プリント自動販売機の設置場所に関連した携帯電話用待ち受け画像データや音声情報を得ることができる。
【発明を実施するための最良の形態】
【００１５】
（実施形態１）
図１に本実施形態の印刷システムのシステム構成を示す。
本システムは、プリント自動販売機１０とサーバ２０、カメラ付き携帯電話機３０とサーバ２０がインターネットを含むネットワーク４０で接続されている構成である。また、本例におけるサービスの対象は、後述する待ち受け画像データを提供するものである。
【００１６】
カメラ付き携帯電話機３０は、プリント自動販売機１０に対してケーブルで接続して印刷処理を行うか、又はディジタルカメラ５０と同様に記録メディア６０をプリント自動販売機１０に挿入して印刷する。プリント自動販売機１０の出力である写真７０の裏面には後述する２次元バーコードが印刷されている。本例のプリント自動販売機１０は、同図に示すように例えばアミューズメントパーク内に設置されているものである。
【００１７】
図２は、上記プリント自動販売機１０の外観構成を示す。先ず、プリント自動販売機１０の上部前面にはディスプレイ及びタッチパネル１００が配設されている。利用者はこのディスプレイ及びタッチパネル１００を見ながら操作を行う。また、ディスプレイ及びタッチパネル１００の隣には、撮影したディジタル画像を記憶したＰＣカード、コンパクトフラッシュ（登録商標）等の記録メディア６０を挿入するメディア挿入口１２０が配設されている。
【００１８】
また、ディスプレイ及びタッチパネル１００の手前には、料金挿入・返却口１１０が設けられ、利用者はディスプレイ及びタッチパネル１００に表示される料金を投入する。また、プリント自動販売機１０の下方には、印刷物取り出し口１３０が配設されている。プリント自動販売機１０は、印刷物取り出し口１３０に印刷結果である印刷物（写真）を排出する。
【００１９】
プリント自動販売機１０の利用者は、先ず撮影したディジタル画像が記録された記録メディア６０をメディア挿入口１２０に挿入し、ディスプレイ及びタッチパネル１００を操作し、印刷する画像と枚数を指定し、料金挿入・返却口１１０から料金を投入する。プリント自動販売機１０は上記操作が行われると、印刷を開始し、指定された写真画像を指定された枚数分印刷物取り出し口１３０に出力する。
【００２０】
図３にプリント自動販売機１０の内部構成のブロック図を示す。プリント自動販売機１０は、制御部２００によって制御され、不図示のＲＯＭに記憶されたプログラムに従って制御される。また、制御部２００は、後述するディジタル画像の印刷制御等の処理を行う。また、制御部２００は、料金挿入・返却の硬貨、紙幣に関する制御を行い、現金制御部２３０、ディスプレイ及びタッチパネル１００の制御を行うディスプレイ及びタッチパネル制御部２４０、ＰＣカードやコンパクトフラッシュ（登録商標）等の記録メディア６０との情報の制御を行うメディア制御部２５０、ネットワーク４０との通信を行う通信部２２０、及び２次元バーコード等の印刷を行う印刷部２１０とそれぞれ接続されている。そして、上記各部との間で通信を行い、各種制御信号を送信する。
【００２１】
また、プリント自動販売機１０は、前述のようにネットワーク４０を介してサーバ２０に接続されている。プリント自動販売機１０の印刷部２１０は、ディジタル画像の写真とともに2次元バーコード等の識別コードを印刷する。例えば、図１に示すように写真７０の表面に写真画像を印刷し、裏側に２次元バーコードを印刷する。
【００２２】
尚、２次元バーコードの印刷位置は、裏側の他、写真の表面の余白でもよく、別紙で写真とは別に出力する構成としてもよい。
図４は上記サーバ２０の構成を示す。サーバ２０は、データを保存する記憶装置で構成される記憶部３２０、外部のネットワーク等との通信を行う送受信部３３０、それらを制御及び情報処理し、２次元バーコード生成部３１０を含む制御部３００から構成される。記憶部３２０には２次元バーコードや、データ情報である待ち受け用画像データ、音声情報（実施形態２で使用する音声情報）が記憶されている。サーバ２０は、プリント自動販売機１０により要求があると、２次元バーコード生成部３１０で2次元バーコードを生成し、返送する。
【００２３】
待ち受け用画像データであるデータ情報を識別する識別データは唯一のものを使用する。
この識別データとネットワークアドレス情報を元に計算等を行い識別コードである２次元バーコードを生成する。よって、識別コードである２次元バーコードは、その一つが唯一のものであるように作成される。
【００２４】
例えば、識別データに乱数かシリアル番号を使って、“ネットワークアドレス情報と乱数を元に生成したバーコードデータ”や、“ネットワークアドレス情報とシリアル番号を元に生成したバーコードデータ”を生成する。尚、乱数は、例えば以前使用した乱数と重複しないことを確認して使用する。このように構成することにより、唯一の2次元バーコードのデータ及び識別データをサーバ２０で管理できる。
【００２５】
図５はカメラ付き携帯電話機３０の内部構成を示すブロック図である。カメラ付き携帯電話機３０は、カメラを制御するカメラ制御部４２０、マイク及びスピーカを制御するマイクスピーカ制御部４１０、ディスプレイを制御するディスプレイ制御部４４０、変復調を行い無線通信を行う無線部４６０、無線部４６０と接続され送受信する信号の信号処理を行う信号処理部４５０、２次元バーコードの画像処理及び解析を行う２次元バーコード画像処理及び解析部４３０、それぞれの各部を制御する制御部４００で構成されている。尚、２次元バーコード画像処理及び解析部４３０は、制御部４００もしくは信号処理部４５０で行うようにしてもよい。
【００２６】
上記カメラ付き携帯電話機３０は、上記プリント自動販売機１０から出力された２次元バーコードを撮影し、カメラ制御部４２０から制御部４００に送りこれを記録する。そして、カメラ付き携帯電話機３０の２次元バーコード画像処理部及び解析部４３０は、撮影した２次元バーコードを画像処理し、解析し、２次元バーコードの情報を取得する。この２次元バーコードの情報は、唯一の識別データとネットワークアドレス情報が含まれておりこれを取得する。カメラ付き携帯電話３０はこの唯一の識別データとネットワークアドレス情報を制御部４００に記憶する。
【００２７】
また、２次元バーコードが過去にカメラ付き携帯電話３０に保存されていないかを判定してもよい。この判定には、以前撮影した２次元バーコードの画像データと現在撮影した２次元バーコードの相関を演算し、又は以前撮影した２次元バーコードの解析結果と現在撮影した２次元バーコードの解析結果を比較することで行うことができる。利用者は、２次元バーコードが、もし既にカメラ付き携帯電話３０に保存されていれば、サーバ２０に２次元バーコードの送信要求の操作を行わない。
【００２８】
次に、本例の処理動作を説明する。
図６は本例の処理を説明する図であり、プリント自動販売機１０がサーバ２０に２次元バーコードを要求し、取得することを示す。前述のように、プリント自動販売機１０は印刷料金の徴収を行うと、２次元バーコードの送信要求をサーバ２０に送る。尚、この要求は枚数分をまとめて送信してもよく、又１枚ずつ送信してもよい。また、利用者の操作によるものでもよいし、プリント自動販売機１０が自動的に送ってもよい。
【００２９】
サーバ２０は２次元バーコードの送信要求を受信すると、前述のように唯一の２次元バーコードの生成を行う。次に、サーバ２０は２次元バーコードをプリント自動販売機１０に送信する。
プリント自動販売機１０では、２次元バーコードを受信すると、プリント自動販売機１０は２次元バーコードを印刷する。印刷は、例えばディジタル画像の写真の印刷の裏に行う。
【００３０】
図７は、プリント自動販売機１０での印刷処理ルーチンのフローチャートを示す。上記のように、送信要求によりサーバ２０からプリント自動販売機１０には、送信要求分もしくは送信要求枚数分の２次元バーコードが送信される。その中からディジタル画像に対応する、又はランダムに２次元バーコードを一つ選択し（（ステップ（以下、Ｓで示す）１）、ディジタル画像とともに２次元バーコードを印刷する（Ｓ２）。次に、注文の印刷が全て完了したか判断し、完了していなければ（Ｓ３がＮＯ）、処理（Ｓ１）に戻り、上記処理を繰り返す。このように処理することにより、注文された写真画像は全て印刷される（Ｓ３がＹＥＳ、Ｓ４）。
【００３１】
図８のシーケンスはその後の処理を説明するものであり、カメラ付き携帯電話３０がサーバ２０にアクセスし、データ情報を得る過程を示す。
先ず、カメラ付き携帯電話機３０のカメラを使用し、印刷された写真の裏面の２次元バーコードを撮影する。そして、２次元バーコードの解析処理を行い、２次元バーコードからネットワークアドレスと識別データを取得する。そして、このネットワークアドレスのサーバ２０に携帯電話用待ち受け画像データの送信要求と識別データを送信する。サーバ２０では、携帯電話用待ち受け画像データ要求と識別データを受信し、アクセスされたアドレスに格納されている複数の携帯電話用待ち受け画像データから識別データに対応する一つの携帯電話用待ち受け画像データを選択する。
【００３２】
そして、サーバ２０は選択した携帯電話用待ち受け画像データを要求元のカメラ付き携帯電話機３０に送信する。カメラ付き携帯電話機３０では、携帯電話用待ち受け画像データを受信し、保存する。
したがって、利用者は、以後携帯電話用待ち受け画像データを設定して利用することができる。
【００３３】
尚、図９は上記処理をプリント自動販売機１０の処理動作として示すフローチャートである。
先ず、記録メディア６０のディジタル画像の写真の枚数から注文枚数を出し、注文枚数×単価を計算し、計算結果の印刷料金を表示し（Ｓ１０）、全体の料金表示を行う（Ｓ２０）。そして、利用者の料金投入待ち状態となり（Ｓ２０）、料金が投入されると（Ｓ３０がＹＥＳ）、ディジタル画像の写真の印刷の他に携帯電話用待ち受け画像データを付加するかどうかを画面表示し（Ｓ４０）、待ち受け画像データを付加する場合写真印刷と２次元バーコードの印刷を行い（Ｓ５０、Ｓ６０）、待ち受け画像データを付加しない場合写真印刷のみを行う（Ｓ７０）。そして、全ての注文の印刷が完了すると（Ｓ８０がＹＥＳ）、処理を終了する（Ｓ９０）。
【００３４】
尚、サーバ２０は、独立のサーバを設置して携帯電話用待ち受け画像データのデータ情報を格納してもよい。また、プリント自動販売機１０にサーバ２０の機能を持たせておき、データ情報をプリント自動販売機１０に格納するようにしてもよい。
また、オペレータがＣＤ等から２次元バーコードをプリント自動販売機１０に予め、入れておくようにしてもよい。サーバ２０から前もって２次元バーコードをプリント自動販売機が、受信しておいてもよい。
【００３５】
データ情報は、動画のデータでもよい。待ち受け画像データは、携帯電話用でなく、携帯端末用でもよい。
本サービスは、プリント自動販売機１０ではなく、オペレータが必要なプリント装置でも適用可能である。また、カメラ付き携帯電話３０は、２次元バーコードを解釈できる端末であればそれでもよい。
【００３６】
さらに、２次元バーコードの代わりに、利用者の写真画面の中に見えないように埋め込む、所謂透かし画像を利用してもよい。
尚、カメラ付き携帯電話機３０で撮影した２次元バーコードのデータが待ち受け画像用データそのものであってもよい。この場合、利用者から要求があるとサーバ２０は、携帯電話待ち受け用画像データを２次元バーコード化してプリント自動販売機１０に送信する。利用者は、これをカメラ付き携帯電話機３０で撮影し、カメラ付き携帯電話機３０で２次元バーコードを画像処理及び解析し、待ち受け用画像データを取り出して使用する。
【００３７】
（実施形態２）
次に、本発明の実施形態２について説明する。
前述の実施形態１のデータ情報に対し、更に音声情報の提供を加えたものである。よって、実施形態１と同じ構成部分は説明を省略し、他の付加的なシステムの部分を説明する。
【００３８】
利用者は、送信を要求したプリント自動販売機１０に関連した又は設置場所に基づいた音声情報をサーバ２０にアクセスすることにより得ることができる。例えば、アミューズメントパークにプリント自動販売機１０が設置されているのであれば、そのキャラクタの音声を取得する。
【００３９】
利用者は、プリント自動販売機１０において音声情報の付加サービスを要求する。もしくは、プリント自動販売機１０が自動的に行う。実施形態１と同様に、プリント自動販売機１０によるサーバ２０への２次元バーコード要求、サーバ２０による２次元バーコード生成とその送信、カメラ付き携帯電話３０による２次元バーコードの撮影は、第１実施形態と同様である。
【００４０】
図１０に、プリント自動販売機１０内に作成される注文テーブル４８０を示す。利用者は、注文枚数と各ディジタル画像に音声情報を付加するかどうかを操作し、注文テーブル４８０が作成される。尚、画像ファイル名は、利用者の記録メディア６０から読み込んだディジタル画像のファイル名である。注文枚数は、利用者が注文枚数を入力したものである。音声情報付加は、利用者の音声情報の付加の指示に従って記録される。
【００４１】
この注文テーブルを元にサーバ２０への２次元バーコードの要求が行われる。例えば、音声情報付加の要求分又は要求枚数分の２次元バーコードを要求する。
図１１に、カメラ付き携帯電話３０がサーバ２０にアクセスし、データ情報を得る過程を示す。本例はデータ情報が、前述のように音声情報を得る場合であり、先ずカメラ付き携帯電話３０によって印刷されたディジタル画像の写真に印刷される２次元バーコードを撮影する。そして、カメラ付き携帯電話３０で２次元バーコードを画像処理し解析し、２次元バーコードからネットワークアドレスと音声データの識別データを取り出す。そして、このネットワークアドレスのサーバ２０に音声データの送信要求と識別データを送信する。
【００４２】
サーバ２０では、音声データ要求と識別データを受信し、アクセスされたアドレスに格納されている複数の音声データから識別データに対応する一つの音声データを選択する。そして、選択した音声データを要求元のカメラ付き携帯電話３０に送信する。カメラ付き携帯電話機３０では、音声データを受信し、保存する。したがって、利用者は、以後音声データを再生して音声を聞くことができる。
【００４３】
次に、本システムのサービスに課金をするシステムを示す。
音声情報であるデータ情報を得ること、２次元バーコードを得ることに対して課金する。例えば、図１２にタッチパネル及びディスプレイ１００に表示された選択画面を示す。この場合は、有料の音声情報を得る付加サービスである。“音声情報を付加する“のところに”有料  単価２０円増”の表示をつける。左側のディジタル画像の写真に有料の音声情報を付加するかしないかを右側の選択部分で選択できる。プリント自動販売機１０では、有料の音声サービスが選択された場合は、例えば、料金の単価を変えてつまり、サービスの付加料金を加えて課金する。左側は、ディジタル画像の印刷枚数を個別に設定する部分である。印刷枚数を個々に指定することができる。以上により、印刷の料金が印刷のみの場合と、本システムのサービスを利用する場合とで変わってくる。この結果、例えば、図１３に示すように印刷注文枚数（付加サービスなし、付加サービス付き印刷注文枚数、印刷料金（付加サービスなし）、付加サービス付き印刷料金と合計の印刷料金が提示され、料金投入待ちの状態となる。
【００４４】
また、選択画面は、例えば、図１４に示すように、音声情報の内容が明示されたものでもよい。ここでは、音声情報はキャラクタの声であり、写真にキャラクタの音声を付加することをサービスとしている。有料表示がある選択画面をタッチパネル及びディスプレイ１００に出し利用者に選択させる。
【００４５】
図１５に、プリント自動販売機１０の利用者向け本サービスの課金及び印刷の動作例をフローチャートで示す。ここで、データ情報は音声情報である。このフローチャートは、予め全ての画像に音声情報を付加するかどうかを最初に選択するものである。尚、サーバ２０への２次元バーコード取得動作は、省略する。
【００４６】
先ず、ディジタル画像の印刷の他に音声情報を付加するかどうかを画面表示し、利用者に問う。利用者がタッチパネル及びディスプレイ１００等で音声情報を付加するか、付加しないかを選択させる（Ｓ１１０）。音声情報を付加するならば処理（Ｓ１３０）に進み、音声情報を付加しないならば処理（Ｓ１４０）に進む。
【００４７】
音声情報を付加する場合、音声情報の単価を１００円に設定し（Ｓ１３０）、音声情報を付加しない場合単価を５０円に設定する（Ｓ１４０）。そして、ディジタル画像のデータの枚数から注文枚数を出し、注文枚数×単価を計算し、計算結果の印刷料金を表示する（Ｓ１５０、Ｓ１６０）。
【００４８】
次に、利用者が料金を投入すると（Ｓ１７０がＹＥＳ）、音声情報を付加し（Ｓ１８０）、前述と同様、待ち受け画像データを付加する場合写真印刷と２次元バーコードの印刷を行い（Ｓ１９０、Ｓ２００）、待ち受け画像データを付加しない場合写真印刷のみを行う（Ｓ２１０）。そして、全ての注文の印刷が完了すると（Ｓ２２０がＹＥＳ）、処理を終了する（Ｓ２３０）。
【００４９】
以下、更に音声データを付加する場合の具体的な例を説明する。
＜実施例１＞
先ず、唯一の識別コードや唯一の２次元バーコードに対する音声情報が複数用意する場合について説明する。
【００５０】
この場合、サーバ２０により２次元バーコードや識別データに対応する複数の音声情報を管理する。例えば、プリント自動販売機１０は、一つの記録メディア６０内の注文が完了したときに一つの２次元バーコードをサーバ２０に要求する。サーバ２０は、複数の音声情報に対応する一つの識別データとネットワークアドレスから一つの２次元バーコードを生成し、返送する。プリント自動販売機１０は、注文された各枚の印刷に一つの同じ２次元バーコードを印刷する。
【００５１】
利用者は、この２次元バーコードをカメラ付き携帯電話３０で撮影し、画像処理及び解析された後、取り出した識別データとネットワークアドレスでサーバ２０に音声情報の送信要求をする。送信要求を受けたサーバ２０で任意に２次元バーコードに対応する複数の音声情報の中から一つを選択して待ち受け画像データや音声情報などのデータ情報を返送する。
【００５２】
よって、例えば、プリント自動販売機１０で一人の人が記録メディア６０内の３０枚のディジタル画像の写真を印刷するときには、サーバ２０からもらう２次元バーコードは一つつまり１種類でよい。それぞれの写真の２次元バーコードは同じになるが、サーバ２０に音声情報を要求するときにサーバ２０で複数の音声情報の中から任意に選択されるので異なった音声データ等が取り出せる。ただし、サーバ２０側に充分な種類の音声データ等を用意しておく必要がある。
【００５３】
この方法により、提供する２次元バーコードと音声情報等の種類の増加による管理の煩雑さや、格納するデータ量の増大に対応しやすくなる。２次元バーコードのセルサイズの増大の問題も解決できる。
＜実施例２＞
次に、サーバ２０で、曜日ごとに識別データ又は２次元バーコードを複数用意及び管理し、それに対応する曜日ごとの音声情報を備えて管理し対応するシステムを示す。予め、サーバ２０はプリント自動販売機１０に曜日ごとの２次元バーコードを送信しておいてもよい。このときは、プリント自動販売機１０は、曜日ごとに２次元バーコードを管理する。
【００５４】
これにより、プリント自動販売機１０で印刷する識別データ又は２次元バーコードとそれに対応する音声情報は曜日により異なるようになる。
図１６に、プリント自動販売機１０のこの動作の印刷のフローチャートを示す。
先ず、注文枚数が所定枚数以上かを判断する（Ｓ３１０）。ここで、所定枚数以上である場合（Ｓ３１０がＹＥＳ）、直ちに印刷処理を行う（Ｓ３５０）。一方、所定枚数以上でない場合（Ｓ３１０がＮＯ）、処理（Ｓ３５０）に移行し、本日の曜日を判断する（Ｓ３２０）。そして、判断した曜日の２次元バーコードのデータ群を選択し（Ｓ３３０）、選択した２次元バーコードのデータ群の中から一つの２次元バーコードデータを選択し（Ｓ３４０）、ディジタル画像及び２次元バーコードを印刷する（Ｓ３５０）。
【００５５】
その後、注文の印刷は全て完了したか判断し（Ｓ３６０）、完了していなければ（Ｓ３６０がＮ）、上記処理を繰り返す。一方、完了すれば処理を終了する（Ｓ３７０）。
後の利用者による撮影等の処理は、実施形態１のデータ情報を音声情報にしたものと同じである。これにより、毎日同じプリント自動販売機１０で印刷しても２、３日なら違う２次元バーコードが選択される。
＜実施例３＞
次に、フレームと写真を合成して印刷する場合に提供する音声情報をフレームとリンクしたものとするシステムを説明する。
【００５６】
利用者は、通常印刷時にプリント自動販売機１０に用意されたフレームをディジタル画像の写真に付加して印刷することができる。図１７はプリント自動販売機１０のディスプレイ及びタッチパネル１００に表示される写真フレームの選択画面を示す。
同図に示すように、画面の左上に利用者の記録メディア６０からの印刷する画像が表示される。そして、“前へ”、又は“次へ”のボタンを操作し、記録メディア６０にあるディジタル画像の写真を順次表示させる。また、画面右上には、合成するフレームが４種類表示され、利用者は合成したいフレームに触れて選択する。ここでは、４種類中の、例えば右下のフレームを選択し、フレーム合成した場合を合成後イメージとして画面下の真中に示す。
【００５７】
プリント自動販売機１０は、上記図１７に示すディジタル画像とフレームの合成画像が確定すると、図１８に示すようにディジタル画像ファイルと合成するフレームとの関係付けるフレーム対応テーブル４９０が作成される。これは、ディジタル画像とフレームの合成が確定すると確定した組み合わせが１組ずつフレーム対応テーブル４９０に登録されていく。
【００５８】
図１９に示すようにプリント自動販売機１０は、フレームに対応する２次元バーコードを備えたフレームテーブル５００を予め用意しておく。合成フレーム番号に対応するフレーム印刷データと２次元バーコード印刷データをフレームテーブル５００に格納する。２次元バーコードデータは、ネットワーク４０を利用して予めサーバ２０からフレームテーブル５００に入れておいたり、ＣＤ等を用いてプリント自動販売機１０のオペレータがフレームテーブル５００に入れておいたりする。
【００５９】
利用者がディジタル画像の写真とフレームを合成するかどうかの操作を終え、印刷の操作をすると、ディジタル画像とフレームからフレーム合成された写真と、その写真の裏面に合成したフレームとリンクした２次元バーコードが印刷される。これが、注文枚数にわたって行われる。
【００６０】
カメラ付き携帯電話３０でフレームに対応した２次元バーコードを撮影し、画像処理と解析により、識別データとネットワークアドレスが得られる。カメラ付き携帯電話でネットワーク４０を通してこのネットワークアドレスにアクセスし、識別データでサーバ２０に送信要求を行う。サーバ２０は、送信要求を受信すると識別データからフレームとリンクした音声情報を割り出し、返送する。カメラ付き携帯電話３０で音声情報を受信し、再生することができる。フレームと音声情報は、１対１又は１対複数で対応している。１対複数のときは音声情報が複数の中から任意に選択される。
【００６１】
フレームに対応する音声情報は、例えば、図示しないがキャラクタのフレームとそのキャラクタの音声である。利用者は、フレーム合成された写真を見ながらフレームの中にいるキャラクタの音声をカメラ付き携帯電話３０で再生することができる。
また、利用者の注文時に、フレームに対応する２次元バーコードをサーバ２０で生成してもよい。この場合は、プリント自動販売機１０からフレームの情報をサーバ２０に送り、サーバ２０はフレームに対応する音声情報の識別データとネットワークアドレスから２次元バーコードを生成し返送する。
【００６２】
以上の実施形態２の音声情報の取得の有無の選択とその課金、１つのバーコードに対して複数の音声情報を対応させる点、同じバーコードでも曜日が異なると音声情報が異なる点、フレーム合成印刷方式でフレームに対応して異なる音声情報にリンクする点は、音声情報を携帯電話用待ち受け画像データに置き換えて実施形態１に適用することもできる。
【図面の簡単な説明】
【００６３】
【図１】本実施形態のシステム構成を示す図である。
【図２】本実施形態のプリント自動販売機の外観図である。
【図３】本実施形態のプリント自動販売機の内部構成のブロック図である。
【図４】サーバの構成を示す図である。
【図５】カメラ付き携帯電話の内部構成ブロック図である。
【図６】２次元バーコードの取得を示す図ある。
【図７】プリント自動販売機での印刷処理ルーチンのフローチャートを示す図である。
【図８】待ち受け画像データ取得を示す図である。
【図９】プリント自動販売機の利用者向けの動作のフローチャートを示す図である。
【図１０】プリント自動販売機内に作成される注文テーブルを示す図である。
【図１１】音声情報取得を示す図である。
【図１２】プリント自動販売機の音声情報付加の選択画面を示す図である。
【図１３】プリント自動販売機の印刷料金表示画面である。
【図１４】プリント自動販売機の有料音声情報の付加の選択画面である。
【図１５】プリント自動販売機の課金を含む動作のフローチャートを示す図である。
【図１６】プリント自動販売機の動作のフローチャートを示す図である。
【図１７】プリント自動販売機において写真のフレームを選択する画面を示す図である。
【図１８】ディジタル画像と合成するフレームとのフレーム対応テーブルを示す図である。
【図１９】フレームテーブルを示す図である。
【符号の説明】
【００６４】
１０・・・プリント自動販売機
２０・・・サーバ
３０・・・カメラ付き携帯電話
４０・・・ネットワーク
５０・・・ディジタルカメラ
６０・・・記録メディア
７０・・・写真
１００・・・ディスプレイ及びタッチパネル
１１０・・・料金挿入・返却口
１２０・・・メディア挿入口
１３０・・・印刷物取り出し口
２００・・・制御部
２１０・・・印刷部
２２０・・・通信部
２３０・・・現金制御部
２４０・・・ディスプレイ及びタッチパネル制御部
２５０・・・メディア制御部
３００・・・制御部
３１０・・・２次元バーコード生成部
３２０・・・記憶部
３３０・・・送受信部
４００・・・制御部
４１０・・・マイクスピーカ制御部
４２０・・・カメラ制御部
４３０・・・２次元バーコード画像処理及び解析部
４４０・・・ディスプレイ制御部
４５０・・・信号処理部
４６０・・・無線部
４８０・・・注文テーブル
４９０・・・フレーム対応テーブル
５００・・・フレームテーブル
【図１】
2005190224.tif 000003
【図２】
2005190224.tif 000004
【図３】
2005190224.tif 000005
【図４】
2005190224.tif 000006
【図５】
2005190224.tif 000007
【図６】
2005190224.tif 000008
【図７】
2005190224.tif 000009
【図８】
2005190224.tif 000010
【図９】
2005190224.tif 000011
【図１０】
2005190224.tif 000012
【図１１】
2005190224.tif 000013
【図１２】
2005190224.tif 000014
【図１３】
2005190224.tif 000015
【図１４】
2005190224.tif 000016
【図１５】
2005190224.tif 000017
【図１６】
2005190224.tif 000018
【図１７】
2005190224.tif 000019
【図１８】
2005190224.tif 000020
【図１９】
2005190224.tif 000021